【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
撮像装置及び前記撮像装置とネットワークを介して接続される管理サーバを含む撮像システムであって、
前記管理サーバは、前記撮像装置の記憶装置に記憶されている設定情報を取得する取得手段と、
データベースに記憶された設定可能条件と前記取得手段により取得された設定情報とを比較する比較手段と、
前記比較手段による比較の結果、前記設定情報が前記設定可能条件を満たさなければ、前記設定可能条件に基づく強制設定情報を前記撮像装置宛に送信する送信手段と、を有し、
前記撮像装置は、前記送信手段により送信された強制設定情報に基づいて、前記記憶装置に記憶されている設定情報を変更する設定手段を有することを特徴とする撮像システム。
【請求項２】
前記管理サーバは、前記比較手段による比較の結果、前記設定情報が前記設定可能条件を満たさなければ、前記設定可能条件に基づいて前記強制設定情報を生成する生成手段を更に有することを特徴とする請求項１に記載の撮像システム。
【請求項３】
前記データベースには、複数の設定可能条件が撮影者の識別子または撮像装置の機器情報と関連付けて記憶され、
前記管理サーバは、前記撮像装置に入力された撮影者の識別子または機器情報に応じた設定可能条件を検索する検索手段を更に有し、
前記比較手段は、前記検索手段により検索された設定可能条件と前記取得手段により取得された設定情報とを比較することを特徴とする請求項１または２に記載の撮像システム。
【請求項４】
前記撮像装置及び前記管理サーバと接続される情報機器を有し、
前記情報機器は、前記撮像装置から前記設定情報を受信して前記管理サーバに送信すると共に、前記管理サーバから前記強制設定情報を受信して前記撮像装置に送信することを特徴とする請求項１乃至３の何れか１項に記載の撮像システム。
【請求項５】
前記取得手段は、前記撮像装置の電源の投入時および撮影者の入力操作に応じた設定情報の変更時のうち少なくともいずれかにおいての設定情報を取得することを特徴とする請求項１乃至４の何れか１項に記載の撮像システム。
【請求項６】
撮像装置とネットワークを介して接続される管理サーバであって、
前記撮像装置の記憶装置に記憶されている設定情報を取得する取得手段と、
データベースに記憶された設定可能条件と前記取得手段により取得された設定情報とを比較する比較手段と、
前記比較手段による比較の結果、前記設定情報が前記設定可能条件を満たさなければ、前記設定可能条件に基づく強制設定情報を前記撮像装置宛に送信する送信手段と、を有することを特徴とする管理サーバ。
【請求項７】
前記比較手段による比較の結果、前記設定情報が前記設定可能条件を満たさなければ、前記設定可能条件に基づいて前記強制設定情報を生成する生成手段をさらに有することを特徴とする請求項６に記載の管理サーバ。
【請求項８】
前記データベースには、複数の設定可能条件が撮影者の識別子または撮像装置の機器情報と関連付けて記憶され、
前記撮像装置に入力された撮影者の識別子または機器情報に応じた設定可能条件を検索する検索手段を更に有し、
前記比較手段は、前記検索手段により検索された設定可能条件と前記取得手段により取得された設定情報とを比較することを特徴とする請求項６または７に記載の管理サーバ。
【請求項９】
前記取得手段は、前記撮像装置による電源の投入時および撮影者の入力操作に応じた設定情報の変更時のうち少なくともいずれかにおいての設定情報を取得することを特徴とする請求項６乃至８の何れか１項に記載の管理サーバ。
【請求項１０】
管理サーバとネットワークを介して接続される撮像装置であって、
記憶装置に記憶されている設定情報を前記管理サーバ宛に送信する送信手段と、
前記設定情報が前記管理サーバのデータベースに記憶されている設定可能条件を満たさなければ、前記設定可能条件に基づく強制設定情報を受信する受信手段と、
前記強制設定情報に基づいて、前記記憶装置に記憶されている設定情報を変更する設定手段を有することを特徴とする撮像装置。
【請求項１１】
前記送信手段は、前記撮像装置の電源の投入時および撮影者の入力操作に応じた設定情報の変更時のうち少なくともいずれかにおいて、前記設定情報を送信することを特徴とする請求項１０に記載の撮像装置。
【請求項１２】
撮像装置とネットワークを介して接続される管理サーバを実現するためのコンピュータに、
前記撮像装置の記憶装置に記憶されている設定情報を取得するステップと、
データベースに記憶された設定可能条件と前記取得された設定情報とを比較するステップと、
前記比較の結果、前記設定情報が前記設定可能条件を満たさなければ、前記設定可能条件に基づく強制設定情報を前記撮像装置宛に送信するステップとを実行させるためのプログラム。
【請求項１３】
管理サーバとネットワークを介して接続される撮像装置を実現するコンピュータに、
記憶装置に記憶されている設定情報を前記管理サーバ宛に送信するステップと、
前記設定情報が前記管理サーバのデータベースに記憶されている設定可能条件を満たさなければ、前記設定可能条件に基づく強制設定情報を受信するステップと、
前記強制設定情報に基づいて、前記記憶装置に記憶されている設定情報を変更する設定ステップを実行させるためのプログラム。
【請求項１４】
撮像装置とネットワークを介して接続される管理サーバの制御方法であって、
前記撮像装置の記憶装置に記憶されている設定情報を取得するステップと、
データベースに記憶された設定可能条件と前記取得された設定情報とを比較するステップと、
前記比較の結果、前記設定情報が前記設定可能条件を満たさなければ、前記設定可能条件に基づく強制設定情報を前記撮像装置宛に送信するステップとを有することを特徴とする制御方法。
【請求項１５】
管理サーバとネットワークを介して接続される撮像装置の制御方法であって、
記憶装置に記憶されている設定情報を前記管理サーバ宛に送信するステップと、
前記設定情報が前記管理サーバのデータベースに記憶されている設定可能条件を満たさなければ、前記設定可能条件に基づく強制設定情報を受信するステップと、
前記強制設定情報に基づいて、前記記憶装置に記憶されている設定情報を変更する設定ステップとを有することを特徴とする制御方法。
【手続補正２】
【補正対象書類名】明細書
【補正対象項目名】０００１
【補正方法】変更
【補正の内容】
【０００１】
本発明は、撮像装置と管理サーバとがネットワークを介して接続された撮像システム、管理サーバ、撮像装置、プログラム及び制御方法に関する。
【手続補正３】
【補正対象書類名】明細書
【補正対象項目名】０００８
【補正方法】変更
【補正の内容】
【０００８】
本発明の撮像システムは、撮像装置及び前記撮像装置とネットワークを介して接続される管理サーバを含む撮像システムであって、前記管理サーバは、前記撮像装置の記憶装置に記憶されている設定情報を取得する取得手段と、データベースに記憶された設定可能条件と前記取得手段により取得された設定情報とを比較する比較手段と、前記比較手段による比較の結果、前記設定情報が前記設定可能条件を満たさなければ、前記設定可能条件に基づく強制設定情報を前記撮像装置宛に送信する送信手段と、を有し、前記撮像装置は、前記送信手段により送信された強制設定情報に基づいて、前記記憶装置に記憶されている設定情報を変更する設定手段を有することを特徴とする。
【手続補正４】
【補正対象書類名】明細書
【補正対象項目名】０００９
【補正方法】変更
【補正の内容】
【０００９】
本発明の管理サーバは、撮像装置とネットワークを介して接続される管理サーバであって、前記撮像装置の記憶装置に記憶されている設定情報を取得する取得手段と、データベースに記憶された設定可能条件と前記取得手段により取得された設定情報とを比較する比較手段と、前記比較手段による比較の結果、前記設定情報が前記設定可能条件を満たさなければ、前記設定可能条件に基づく強制設定情報を前記撮像装置宛に送信する送信手段と、を有することを特徴とする。
【手続補正５】
【補正対象書類名】明細書
【補正対象項目名】００１０
【補正方法】変更
【補正の内容】
【００１０】
本発明の撮像装置は、管理サーバとネットワークを介して接続される撮像装置であって、記憶装置に記憶されている設定情報を前記管理サーバ宛に送信する送信手段と、前記設定情報が前記管理サーバのデータベースに記憶されている設定可能条件を満たさなければ、前記設定可能条件に基づく強制設定情報を受信する受信手段と、前記強制設定情報に基づいて、前記記憶装置に記憶されている設定情報を変更する設定手段を有することを特徴とする。
【手続補正６】
【補正対象書類名】明細書
【補正対象項目名】００１１
【補正方法】変更
【補正の内容】
【００１１】
本発明のプログラムは、撮像装置とネットワークを介して接続される管理サーバを実現するためのコンピュータに、前記撮像装置の記憶装置に記憶されている設定情報を取得するステップと、データベースに記憶された設定可能条件と前記取得された設定情報とを比較するステップと、前記比較の結果、前記設定情報が前記設定可能条件を満たさなければ、前記設定可能条件に基づく強制設定情報を前記撮像装置宛に送信するステップとを実行させるためのプログラムである。
また、本発明のプログラムは、管理サーバとネットワークを介して接続される撮像装置を実現するコンピュータに、記憶装置に記憶されている設定情報を前記管理サーバ宛に送信するステップと、前記設定情報が前記管理サーバのデータベースに記憶されている設定可能条件を満たさなければ、前記設定可能条件に基づく強制設定情報を受信するステップと、前記強制設定情報に基づいて、前記記憶装置に記憶されている設定情報を変更する設定ステップを実行させるためのプログラムである。
また、本発明の制御方法は、撮像装置とネットワークを介して接続される管理サーバの制御方法であって、前記撮像装置の記憶装置に記憶されている設定情報を取得するステップと、データベースに記憶された設定可能条件と前記取得された設定情報とを比較するステップと、前記比較の結果、前記設定情報が前記設定可能条件を満たさなければ、前記設定可能条件に基づく強制設定情報を前記撮像装置宛に送信するステップとを有することを特徴とする。
また、本発明の制御方法は、管理サーバとネットワークを介して接続される撮像装置の制御方法であって、記憶装置に記憶されている設定情報を前記管理サーバ宛に送信するステップと、前記設定情報が前記管理サーバのデータベースに記憶されている設定可能条件を満たさなければ、前記設定可能条件に基づく強制設定情報を受信するステップと、前記強制設定情報に基づいて、前記記憶装置に記憶されている設定情報を変更する設定ステップとを有することを特徴とする。